(57)【要約】【課題】洗浄水タンクから水洗便器へ排出される洗浄水量を容易に微調整することができる排水弁装置を提供する。【解決手段】排水弁装置１０は、洗浄水タンクの底面に形成された排水口に取り付けられた略円筒状の弁座１１と、洗浄水タンク内に立設されたオーバーフロー管２２に水平配置された支持軸１２と、を有する排水弁本体部１３と、支持軸１２を中心に上下方向に揺動して弁座１１に離接することにより排水及び止水を行う排水弁１４と、を備え、排水弁１４の下面に形成された中空膨出部１５に、洗浄水タンク内の洗浄水中で排水弁１４を開状態に保つための浮力維持時間を調整する第一の浮力調整手段１６と、第一の浮力調整手段１６で調整された浮力維持時間をさらに微調整する第二の浮力調整手段１７と、が設けられている。【選択図】図３
2011074686.tif 000002
【特許請求の範囲】
【請求項１】
便器を洗浄する洗浄水を貯留する洗浄水タンクの排水弁装置であって、
前記洗浄水タンクの底面に形成された排水口に取り付けられた弁座と、前記洗浄水タンク内に水平配置された支持軸と、を有する排水弁本体部と、
前記支持軸を中心に上下方向に揺動して前記弁座に離接することにより排水及び止水を行う排水弁と、を備え、
前記排水弁の下面に形成された中空膨出部に、前記洗浄水タンク内の洗浄水中で前記排水弁を開状態に保つための浮力維持時間を調整する第一の浮力調整手段と、前記第一の浮力調整手段で調整された浮力維持時間をさらに微調整する第二の浮力調整手段と、を設けたことを特徴とする排水弁装置。
【請求項２】
前記第一の浮力調整手段として、前記排水弁の中空膨出部の内外を連通する第一透孔と、前記排水弁における前記第一透孔の位置を変化させる第一透孔移動手段と、を設けたことを特徴とする請求項１記載の排水弁装置。
【請求項３】
前記第二の浮力調整手段として、前記排水弁の中空膨出部の内外を連通する第二透孔と、前記排水弁における前記第二透孔の位置を変化させる第二透孔移動手段と、を設けたことを特徴とする請求項１または２記載の排水弁装置。
【請求項４】
前記第二透孔の内径を、前記第一透孔の内径より小さくしたことを特徴とする請求項３記載の排水弁装置。
【発明の詳細な説明】
【技術分野】
【０００１】
本発明は、水洗便器に供給される洗浄水を貯留する洗浄水タンクに配備される排水弁装置に関する。
【背景技術】
【０００２】
従来、水洗便器の洗浄水を貯留する洗浄水タンクの排水弁装置には、大便時、小便時のそれぞれ対応した洗浄水量を選択して供給することのできる機構が設けられているが、洗浄水量を任意かつ容易に調整する技術として、例えば、特許文献１記載の「洋便器用大小便区分節水機」がある。この「洋便器用大小便区分節水機」は、変形部を備えた空気チャンバと硬質の空気ハウジングによって構成され、空気ハウジングの上部に貫通して形成された排気口の位置を変更することによって洗浄水の排出量を変更する機能を備えている。
【０００３】
即ち、前記「洋便器用大小便区分節水機」は、空気ハウジングの排気口の位置を変更して空気排出及び浮力減少のスピードを変化させることにより、洗浄タンクの排出口の開放時間を変化させ、洗浄水タンクから排出される洗浄水量を変更するものである。
【先行技術文献】
【特許文献】
【０００４】
【特許文献１】実用新案登録第３０８７０８５号公報
【発明の概要】
【発明が解決しようとする課題】
【０００５】
特許文献１記載の「洋便器用大小便区分節水機」は、空気ハウジングに貫通形成された単一の排気口の位置を変更することによって洗浄水量を調整する方式であるため、洗浄水量を微量範囲で調整することが困難である。このため、前記「洋便器用大小便区分節水機」は、洗浄水量の微調整が要請される施工現場では適切に対応することができないのが実状である。
【０００６】
本発明が解決しようとする課題は、洗浄水タンクから水洗便器へ排出される洗浄水量を容易に微調整することができる排水弁装置を提供することにある。
【課題を解決するための手段】
【０００７】
本発明の排水弁装置は、便器を洗浄する洗浄水を貯留する洗浄水タンクの排水弁装置であって、
前記洗浄水タンクの底面に形成された排水口に取り付けられた弁座と、前記洗浄水タンク内に水平配置された支持軸と、を有する排水弁本体部と、
前記支持軸を中心に上下方向に揺動して前記弁座に離接することにより排水及び止水を行う排水弁と、を備え、
前記排水弁の下面に形成された中空膨出部に、前記洗浄水タンク内の洗浄水中で前記排水弁を開状態に保つための浮力維持時間を調整する第一の浮力調整手段と、前記第一の浮力調整手段で調整された浮力維持時間をさらに微調整する第二の浮力調整手段と、を設けたことを特徴とする。
【０００８】
このような構成とすれば、第一の浮力調整手段で調整した排水弁の浮力維持時間を、さらに第二の浮力調整手段で微調整することができるようになるため、洗浄水タンクから排出される洗浄水量を容易に微調整することができる。
【０００９】
ここで、前記第一の浮力調整手段として、前記排水弁の中空膨出部の内外を連通する第一透孔と、前記排水弁における前記第一透孔の位置を変化させる第一透孔移動手段と、を設けることができる。
【００１０】
このような構成とすれば、排水弁の中空膨出部に移動可能な第一透孔を設けた簡単な構造により、排水弁の浮力維持時間を調整することができるので、洗浄水タンクから排出される洗浄水量の微調整がさらに容易となる。
【００１１】
また、前記第二の浮力調整手段として、前記排水弁の中空膨出部の内外を連通する第二透孔と、前記排水弁における前記第二透孔の位置を変化させる第二透孔移動手段と、を設けることができる。
【００１２】
このような構成とすれば、排水弁の中空膨出部に移動可能な第二透孔を設けた簡単な構造により、第一の浮力調整手段で調整した排水弁の浮力維持時間を、さらに第二の浮力調整手段で微調整することができるので、洗浄水タンクから排出される洗浄水量の微調整がさらに容易となる。
【００１３】
この場合、前記第二透孔の内径を前記第一透孔の内径より小さくすることが望ましい。
【００１４】
このような構成とすれば、内径が大きい方の第一透孔の位置を調整することによって排水弁の浮力維持時間の大まかな調整を行い、第一透孔より内径の小さい第二透孔の位置を調整することによって排水弁の浮力維持時間の微調整を行うことが可能となるので、洗浄タンクから排出される洗浄水量の微調整がさらに容易となる。
【発明の効果】
【００１５】
本発明により、洗浄水タンクから水洗便器へ排出される洗浄水量を容易に微調整することができる排水弁装置を提供することができる。
【図面の簡単な説明】
【００１６】
【図１】本発明の実施形態である排水弁装置が配備された洗浄水タンク装置を示す垂直断面図である。
【図２】図１に示す排水弁装置が開弁状態にあるときの垂直断面図である。
【図３】図２に示す排水弁装置の斜視図である。
【図４】図３に示す排水弁装置を構成する排水弁の斜視図である。
【図５】図４に示す排水弁装置の分解斜視図である。
【図６】図４のＡ−Ａ線における断面図である。
【図７】図３に示す排水弁装置の使用状態を示す斜視図である。
【図８】図３に示す排水弁装置の使用状態を示す斜視図である。
【図９】図３に示す排水弁装置の使用状態を示す斜視図である。
【発明を実施するための形態】
【００１７】
以下、図面に基づいて本発明の実施の形態について説明する。図１に示すように、本実施形態の排水弁装置１０は、便器（図示せず）を洗浄する洗浄水Ｗを貯留する洗浄水タンク装置３０に配備されている。洗浄水タンク装置３０は、洗浄水を貯留する箱形の洗浄水タンク２０と、洗浄水タンク２０内へ水を供給する給水装置２１と、洗浄水タンク２０内に貯留された洗浄水Ｗを便器（図示せず）に向かって排出する操作を行うための排水操作装置３１と、操作装置３１の動作と連携して洗浄水Ｗを排出した後、自動停止する排水弁装置１０と、を備えている。
【００１８】
給水装置２１は、洗浄水タンク２０の片方の側壁２０ａ寄りの部分に配備され、給水源（図示せず）に接続される給水管２３と、洗浄水タンク２０内への給水・止水を行うため給水管２３の上端部に設けられた給水バルブ２４と、洗浄タンク２０内の洗浄水Ｗの水位の上下動に応じて給水バルブ２４の開閉を行うフロート部２５と、を備えている。
【００１９】
排水操作装置３１は、洗浄タンク２０の他方の側壁２０ｃに回転可能に軸支された操作レバー３２と、操作レバー３２と調整部３６を介して連設された状態で洗浄水タンク２０内に水平配置された回転軸３３と、回転軸３３の先端側のアーム部３４先端と排水弁１４頂上の係止部１４ａとを連結する玉鎖３５と、を備えている。調整部３６は、回転操作された操作レバー３２が元の状態に戻るときに抵抗力を発生させるダンパ機能を有する。
【００２０】
図１，図３に示すように、排水弁装置１０は、洗浄水タンク２０の底面２０ｂに形成された排水口２０ｃに取り付けられた略円筒状の弁座１１と、洗浄水タンク２０内に立設されたオーバーフロー管２２に水平配置された支持軸１２と、を有する排水弁本体部１３と、支持軸１２を中心に上下方向に揺動して弁座１１に離接することにより排水及び止水を行う排水弁１４と、を備え、排水弁１４の下面に形成された中空膨出部１５に、洗浄水タンク２０内の洗浄水Ｗ中で排水弁１４を開状態に保つための浮力維持時間を調整する第一の浮力調整手段１６と、第一の浮力調整手段１６で調整された浮力維持時間をさらに微調整する第二の浮力調整手段１７と、が設けられている。弁座１１のフランジ部１１ｆより下方の筒状部１１ｂは排水口２０ｃ内に挿通され、オーバーフロー管２２の下端部分は水平流路２２ａを介して略円筒形の弁座１１内に連通している。
【００２１】
第一の浮力調整手段１６として、排水弁１４の中空膨出部１５の内外を連通する第一透孔１６ａと、排水弁１４における第一透孔１６ａの位置を変化させる第一透孔移動手段１６ｂと、が設けられている。また、第二の浮力調整手段１７として、排水弁１４の中空膨出部１５の内外を連通する第二透孔１７ａと、排水弁１４における第二透孔１７ａの位置を変化させる第二透孔移動手段１７ｂと、が設けられている。第二透孔１７ａの内径は、第一透孔１６ａの内径より小さく設定されている。
【００２２】
図３〜図６に示すように、排水弁１４は、支持軸１２に基端側の軸孔１８ａを介して回動自在に軸支された一対のアーム部１８，１８と、アーム部１８，１８の先端側に一体的に形成された略円形ハット状の蓋体部１９と、蓋体部１９の下面に設けられた円形ドーム状の中空膨出部１５と、を備えている。蓋体部１９の軸心Ｃの周囲には、上方に盛り上がった膨出部１９ａが形成され、凸条部１９ａの周囲に円板状のフランジ部１９ｂが形成されている。フランジ部１９ｂの下面が、弁座１１の上縁部１１ａに離接することにより、洗浄水Ｗの排出及び停止が行われる。
【００２３】
中空膨出部１５は、蓋体部１９の下面に軸心Ｃ中心に回転可能に取り付けられた円環状の第一透孔移動手段１６ｂと、第一透孔移動手段１６ｂの下縁部に軸心Ｃ中心に回転可能に取り付けられたお腕状の第二透孔移動手段１７ｂと、で形成されている。第一透孔移動手段１６ｂ及び第二透孔移動手段１７ｂの外面は滑らかに連続した曲面をなし、円形ドーム形状の中空膨出部１４の外面を形成している。
【００２４】
図６に示すように、蓋体部１９下面の膨出部１９ａ周縁部と第一透孔移動手段１６ｂ上縁部との接合部分及び第一透孔移動手段１６ｂ下縁部と第二透孔移動手段１７ｂ上縁部との接合部分は、それぞれ互いに円周方向にスライド可能な凹凸嵌合機構１４ｂ，１４ｃによって接合されている。第一透孔移動手段１６ｂ及び第二透孔移動手段１７ｂは、蓋体部１９に対してそれぞれ独立して軸心Ｃ中心に回転可能であり、第二透孔移動手段１７ｂの底頂部には、貫通孔１７ｃが開設されている。貫通孔１７ｃの内径は第一透孔１６ａより小さく、第二透孔１７ａより大である。
【００２５】
図１に示すように、洗浄水タンク装置３０が待機状態にあるとき、排水弁装置１０の排水弁１４は弁座１１に密着して止水状態となっているため、洗浄水タンク２０内の洗浄水Ｗは一定水位に保たれている。このとき、排水弁１４の中空膨出部１５内には洗浄水Ｗは存在せず、大気中と同じ状態にある。
【００２６】
図２に示すように、操作レバー３２が回転操作されると、回転軸３３及びアーム部３４が回転して玉鎖３５全体が引き上げられるので、排水弁１４が支持軸１２（図３参照）を中心に上方へ起立するように回動する。これにより、図３に示すように、排水弁１４のフランジ部１９ｂが弁座１１の上縁部１１ａから離れ、開弁状態となるので、洗浄水タンク２０内の洗浄水Ｗは弁座１１内へ流入し、水栓便器（図示せず）に向かって供給される。
【００２７】
図２に示すように、操作レバー３２の開操作により起立方向へ回動した後の排水弁１４においては、その中空膨出部１５内に存在する空気が第一透孔１６ａ及び第二透孔１７ａを通って洗浄水Ｗ中へ気泡Ｂとなって排出されるとともに洗浄水Ｗが貫通孔１７ｃを通って中空膨出部１５内に流入するので、洗浄水Ｗ中で排水弁１４に作用する浮力は徐々に減少し、排水弁１１は支持軸１２中心に回動して徐々に弁座１１に向かって倒伏していき、最後は排水弁１４のフランジ部１９ｂが弁座１１の上縁部１１ａに密着し、図１に示す閉弁状態に戻る。この後は、洗浄水タンク２０内の洗浄水Ｗの水位が所定高さとなるまで給水装置２１による自動給水が行われる。
【００２８】
排水装置１０において、洗浄水タンク２０から水栓便器（図示せず）に向かって排出される洗浄水量は、操作レバー３２の手動操作で開かれた排水弁１４が、開弁直後から浮力を失って閉止するまでの時間で決まる。従って、排水弁１４の浮力維持時間を調整することによって洗浄水タンク２０から排出される洗浄水量を調整することができる。そこで、排水装置１０では、前述したように、排水弁１４の下面に形成された中空膨出部１５に、洗浄水タンク２０内の洗浄水Ｗ中で排水弁１４を開状態に保つための浮力維持時間を調整する第一の浮力調整手段１６と、第一の浮力調整手段１６で調整された浮力維持時間をさらに微調整する第二の浮力調整手段１７と、を設けている。
【００２９】
図３に示すように、第一の浮力調整手段１６の第一透孔１６ａ及び第二の浮力調整手段１７の第二透孔１７ａの両方を、排水弁１４の回動中心である支持軸１２から最も離れた位置（以下「正面位置」という。）に設定すると、操作レバー３２の開操作で排水弁１４が起立方向に回動したとき、排水弁１４の中空膨出部１５内の空気は第一透孔１６ａ及び第二透孔１７ａの両孔を通って速やかに洗浄水Ｗ中へ排出されるので、排水弁１４を開状態に保つための浮力維持時間は短くなり、洗浄水タンク２０から排出される洗浄水量は少量となる。
【００３０】
ここで、図７に示すように、第一の浮力調整手段１６の第一透孔移動手段１６ｂのみを軸心Ｃを中心に約９０度回転させ、第一透孔１６ａを正面位置より支持軸１２に近づけた位置にセットすると、中空膨出部１５内から第一透孔１６ａを通って排出される空気の排出速度は、第一透孔１６ａが正面位置にあるとき（図３に示す状態のとき）より遅くなるので、排水弁１４を開状態に保つための浮力維持時間は長くなり、洗浄水タンク２０から排出される洗浄水量は増加する。この場合、第一透孔１６ａの内径は第二透孔１７ａの内径より大きいので、第一透孔１６ａの位置を変えることにより空気排出速度は大きく変化し、それに伴って浮力維持時間も大きく変化するので、洗浄水タンク２０から排出される洗浄水量の設定値を大きく変化させることができる。
【００３１】
一方、図８に示すように、第二の浮力調整手段１７の第二透孔移動手段１７ｂのみを軸心Ｃを中心に約９０度回転させ、第二透孔１７ａを正面位置より支持軸１２に近づけた位置にセットすると、排水弁１４の中空膨出部１５内から第二透孔１７ａを通って排出される空気の排出速度は、第一透孔１７ａが正面位置にあるとき（図３に示す状態のとき）より遅くなるので、排水弁１４を開状態に保つための浮力維持時間は長くなり、洗浄水タンク２０から排出される洗浄水量は増加する。この場合、第二透孔１７ａの内径は第一透孔１６ａの内径より小さいので、第二透孔１７ａの位置を変えたときの空気排出速度の変化は小さく、それに伴う浮力維持時間の変化も小さいので、洗浄水タンク２０から排出される洗浄水量の設定値を細かく変化させることができる。
【００３２】
さらに、図９に示すように、第二の浮力調整手段１７の第二透孔移動手段１７ｂのみを軸心Ｃを中心に約１８０度回転させ、第二透孔１７ａを支持軸１２側に向けた位置にセットすると、排水弁１４が開かれたときに第二透孔１７ａが、貫通孔１７ｃと同様に、中空膨出部１５内への水流入孔として機能するようになる。これにより、中空膨出部１５内から第一透孔１６ａを通って排出される空気の排出速度は、第二透孔１７ａが正面位置にあるとき（図３に示す状態のとき）より速くなり、中空膨出部１５内への洗浄水Ｗの流入速度が増加するので、排水弁１４を開状態に保つための浮力維持時間は短くなり、洗浄水タンク２０から排出される洗浄水量は減少する。
【００３３】
図３，図７，図８を用いて説明したように、排水弁装置１０は、第一の浮力調整手段１６で調整した排水弁１４の浮力維持時間を、さらに第二の浮力調整手段１７で微調整することができるため、洗浄水タンク２０から排出される洗浄水量を容易に微調整することができる。また、排水弁１４の中空膨出部１５に軸心Ｃを中心に回転移動可能な第一透孔１６ａ及び第二透孔１７ａを設けた簡単な構造により、排水弁１４の浮力維持時間を調整することができるので、洗浄水タンク２０から排出される洗浄水量の微調整作業の容易化に有効である。
【００３４】
さらに、第二透孔１７ａの内径を第一透孔１６ａの内径より小さくしたことにより、内径が大きい方の第一透孔１６ａの位置を調整して排水弁１４の浮力維持時間の大まかな調整を行い、第一透孔１６ａより内径の小さい第二透孔１７ａの位置を調整することによって排水弁１４の浮力維持時間の微調整を行うことができるので、洗浄タンク２０から排出される洗浄水量の微調整は極めて容易である。
【産業上の利用可能性】
【００３５】
本発明の排水弁装置は、一般住宅や公共施設などの水洗トイレの便器洗浄水タンク装置の構成機材として広く利用することができる。
【符号の説明】
【００３６】
１０  排水弁装置
１１  弁座
１１ａ  上縁部
１１ｂ  筒状部
１１ｆ，１９ｂ  フランジ部
１２  支持軸
１３  排水弁本体部
１４  排水弁
１４ａ  係止部
１４ｂ，１４ｃ  凹凸嵌合機構
１５  中空膨出部
１６  第一の浮力調整手段
１６ａ  第一透孔
１６ｂ  第一透孔移動手段
１７  第二の浮力調整手段
１７ａ  第二透孔
１７ｂ  第一透孔移動手段
１７ｃ  貫通孔
１８，３４  アーム部
１９  蓋体部
１９ａ  膨出部
２０  洗浄水タンク
２０ａ，２０ｃ  側壁
２０ｂ  底面
２１  給水装置
２２  オーバーフロー管
２３  給水管
２４  給水バルブ
２５  フロート部
３０  洗浄水タンク装置
３１  操作装置
３２  操作レバー
３３  回転軸
３５  玉鎖
【図１】
2011074686.tif 000003
【図２】
2011074686.tif 000004
【図３】
2011074686.tif 000005
【図４】
2011074686.tif 000006
【図５】
2011074686.tif 000007
【図６】
2011074686.tif 000008
【図７】
2011074686.tif 000009
【図８】
2011074686.tif 000010
【図９】
2011074686.tif 000011